(57)【特許請求の範囲】
【請求項１】
センターコアを持たない中心穴の外周に、環状の第１のデータエリアを形成してある第１のディスク基板と、
センターコアを持たない中心穴の外周に、環状の第２のデータエリアを形成してある第２のディスク基板とを備え、
上記第１のディスク基板上に上記第２のディスク基板を貼り合せ、上記第１のディスク基板を通して照射される光によって上記第１及び第２のデータエリアのデータを選択的に再生するように構成された両面光ディスクにおいて、
上記第２のディスク基板の第２のデータエリアの中心を上記第１のディスク基板の中心穴の中心に一致させた状態で、第１のディスク基板上に第２のディスク基板を貼り合せた
ことを特徴とする両面ディスク。
【請求項２】
センターコアを持たない中心穴の外周に、環状の第１のデータエリアを形成してある第１のディスク基板と、
センターコアを持たない中心穴の外周に、環状の第２のデータエリアを形成してある第２のディスク基板とを備え、
上記第１のディスク基板上に上記第２のディスク基板を貼り合せ、上記第１のディスク基板を通して照射される光によって上記第１及び第２のデータエリアのデータを選択的に再生するように構成された両面光ディスクの製法において、
上記第２のディスク基板の第２のデータエリアの中心を割り出す工程と、
上記第１のディスク基板の中心穴の中心を上記第２のディスク基板の第２のデータエリアの中心に一致させる工程と、
上記第１のディスク基板上に上記第２のディスク基板を貼り合せる工程とを備えた
ことを特徴とする両面光ディスクの製法。
【請求項３】
上記第２のディスク基板の第２のデータエリアを撮影するビデオカメラと、そのビデオカメラから出力された画像信号を処理する画像処理装置とを用いて、その第２のデータエリアの中心を割り出す
ことを特徴とする請求項２記載の両面光ディスクの製法。
【請求項４】
上記第１のディスク基板の中心穴が嵌合されるセンターリング用ハブを備え、その中心穴の中心を上記第２のディスク基板の第２のデータエリアの中心に位置出しすべく直角２軸方向に移動可能な治具を備えた
ことを特徴とする請求項２記載の両面光ディスクの製法。
【請求項５】
上記第１及び第２のディスク基板を接着剤で接着した
ことを特徴とする請求項２記載の両面光ディスクの製法。
【請求項６】
上記第１及び第２のディスク基板を熱融着した
ことを特徴とする請求項２記載の両面光ディスクの製法。
【発明の詳細な説明】
【０００１】
【発明の属する技術分野】
本発明は、センターコアを持たない中心穴の外周にデータエリアがそれぞれに形成されている２枚のディスク基板を貼り合せて、一方のディスク基板を通して照射される光によって２つのデータエリアのデータを選択的に再生するようになされた両面光ディスクとその製法に関する技術分野に属するものである。
【０００２】
【従来の技術】
従来から、両面光ディスクには、図５に示すようなＭＯ等のセンターコアを有するものと、図４に示すようなＤＶＤ等のセンターコアを持たないものとの２種類がある。そして、図５に示すＭＯ等の記録、再生の両方が可能な両面光ディスク１は、ポリエステル、ポリカーボネート、ポリメチルメタクリレート、ポリオレフィン等の透明な合成樹脂材料によって形成され、厚さＴ2 がそれぞれ１．２ｍｍの第１及び第２のディスク基板２、３を用いている。そして、これら第１及び第２のディスク基板２、３の中心穴２ａ、３ａの外周で、これらの対向面側には磁性層４、５によって構成された環状の第１及び第２のデータエリア６、７が形成されている。そして、これら第１及び第２のディスク基板２、３をＵＶ接着剤（紫外線硬化型接着剤）等の接着剤８や熱融着等によって貼り合せ、第１及び第２のディスク基板２、３の中心穴２ａ、３ａ内にそれぞれ金属等で形成された第１及び第２のセンターコア９、１０を接着して１枚の両面光ディスク１を製造している。
【０００３】
また、図４に示すＤＶＤ等の再生専用の両面光ディスク１１も、ポリエステル、ポリカーボネート、ポリメチルメタクリレート、ポリオレフィン等の透明な合成樹脂材料によって形成され、厚さＴ1 がそれぞれ０．６ｍｍの第１及び第２のディスク基板１２、１３を用いている。そして、下側に配置される第１のディスク基板１２の上面側で、中心穴１２ａの外周には押型加工後に半透明膜１４をコーティングした環状の第１のデータエリア１６が形成され、上側に配置される第２のディスク基板１３の下面側で、中心穴１３ａの外周には押型加工後に反射膜１５をコーティングした環状の第２のデータエリア１７が形成されている。そして、これら第１及び第２のディスク基板１２、１３をやはりＵＶ接着剤等の接着剤１８や熱融着等によって貼り合せて、１枚の両面光ディスク１１を製造したものであるが、この両面光ディスク１１には図５に示した両面光ディスク１で使用されていた第１及び第２のセンターコア９、１０は使用されていない。
【０００４】
そして、図５に示す両面光ディスク１の場合は、ディスクドライブ内におけるディスクテーブル２１上のセンターピン２２に例えば第１のセンターコア９の中心穴９ａを嵌合することによって、第１のセンターコア９の中心をディスクテーブル２１の中心に位置決めするようにしてその両面光ディスク１をディスクテーブル２１上に水平に装着する。そして、そのディスクテーブル２１によって両面光ディスク１を回転駆動しながら、光学ピックアップの対物レンズ２３から上方に照射されるレーザー光２４を下側に配置されている第１のディスク基板２を通して第１のデータエリア６に垂直に照射し、その対物レンズ２３を両面光ディスク１の中心からの放射線に沿って水平に走査しながら、その第１のデータエリア６にデータを選択的に記録、再生する。そして、この両面光ディスク１の表裏を反転（第１及び第２のディスク基板２、３の上下を反転させること）させてディスクテーブル２１上に水平に装着させることによって、図５に点線で示すように、上側に配置されている第２のディスク基板３の第２のデータエリア７にレーザー光２４を垂直に照射して、その第２のデータエリア７にデータを選択的に記録、再生するようにしている。
【０００５】
また、図４に示す両面光ディスク１１の場合は、ディスクドライブ内におけるディスクテーブル３１上の円錐台形状のセンターリング用ハブ３２のテーパー面３２ａの外周に下側の第１のディスク基板１２の中心穴１２ａを嵌合することによって、その中心穴１２ａの中心をディスクテーブル３１の中心に位置決めするようにして、その両面光ディスク１１をディスクテーブル３１上に水平に装着する。そして、そのディスクテーブル２１によって両面光ディスク１１を回転駆動しながら、光学ピックアップの対物レンズ３３から上方に照射されるレーザー光３４を下側の第１のディスク基板１２を通して例えば下側の第１のデータエリア１６に垂直に照射及びフォーカスし、その対物レンズ３３を両面光ディスク１１の中心からの放射線に沿って水平に走査しながら、その第１のデータエリア１６のデータを選択的に再生する。また、図４に点線で示すように、レーザー光３４を下側の第１のディスク基板１２を通して上側の第２のディスク基板１３の第２のデータエリア１７に垂直に照射及びフォーカスすることによって、その第２のデータエリア１７のデータを選択的に再生するようにしている。
【０００６】
【発明が解決しようとする課題】
ところで、この種両面光ディスク１及び１１では、第１、第２のディスク基板２、３及び１２、１３の中心穴２ａ、３ａ及び１２ａ、１３ａの中心Ｓ1 、Ｓ2 及びＳ11、Ｓ12を基準とした第１、第２のデータエリア６、７及び１６、１７の中心Ｄ1 、Ｄ2 及びＤ11、Ｄ12の偏心量Ｅ1 、Ｅ2 及びＥ11、Ｅ12が問題となり、これらの偏心量Ｅ1 、Ｅ2 及びＥ12、Ｅ13が規格寸法を越えた場合には、データを正確に再生することができなくなる。しかし、図５に示すＭＯ等の両面光ディスク１のように、第１及び第２のディスク基板２、３の中心穴２ａ、３ａ内に第１及び第２のセンターコア９、１０を取り付けておき、第１及び第２のディスク基板２、３をその都度上下に反転させながら、第１及び第２のセンターコア９、１０の中心穴９ａ、１０ａをディスクテーブル２１のセンターピン２２に選択的に嵌合させるように使用するものでは、その第１及び第２のセンターコア９、１０の中心穴９ａ、１０ａの中心Ｓ1`、 Ｓ2`が実質的に第１及び第２のディスク基板２、３の中心穴２ａ、３ａの中心となる。しかも、第１及び第２のセンターコア９、１０を第１及び第２のディスク基板２、３の中心穴４、５内に取り付ける際に、治具を用いて、第１及び第２のセンターコア９、１０を第１及び第２のディスク基板２、３の中心穴２ａ、３ａ内で位置調整することによって、これら第１及び第２のセンターコア９、１０の中心穴９ａ、１０ａの中心Ｓ1`、Ｓ2`を第１及び第２のデータエリア６、７の中心Ｄ1 、Ｄ2 に正確に、かつ、簡単に一致させることができるので、第１及び第２のディスク基板２、３の中心穴２ａ、３ａの中心Ｓ1 、Ｓ2 に対する第１及び第２のデータエリア６、７の中心Ｄ1 、Ｄ2 の偏心量Ｅ1 、Ｅ2 は実質的に０となる。
【０００７】
しかし、図４に示すＤＶＤ等の両面光ディスク１１のように、センターコアを持たず、第１のディスク基板１２の中心穴１２ａをディスクテーブル３１のセンターリング用ハブ３２に直接的に嵌合させるものでは、第１及び第２のディスク基板１２、１３を相互に貼り合せる際に、第１のディスク基板１２の中心穴１２ａの中心Ｓ11に対する第１及び第２のデータエリア１６、１７の中心Ｄ11、Ｄ12の偏心量Ｅ11、Ｅ12を規格寸法の範囲内に正確に定める必要がある。
【０００８】
なお、ＤＶＤ等の両面光ディスク１１のデータの記憶容量は、ＣＤ−ＲＯＭ等の単一のディスク基板で構成される片面光ディスクのデータの記憶容量の７〜８倍に増大されていて、その両面光ディスク１１のトラックピッチは片面光ディスクのトラックピッチの約半分の値である０．８μｍとなっている。そこで、従来の両面光ディスク１１では、第１及び第２のディスク基板１２、１３の中心穴１２ａ、１３ａの中心Ｓ11、Ｓ12に対する第１及び第２のデータエリア１６、１７の中心Ｄ11、Ｄ12の偏心量Ｅ11、Ｅ12の製造上の許容値を０±０．０３５ｍｍに規定していた。しかし、従来は第１及び第２のディスク基板１２、１３を相互に貼り合せる際に、治具を用いて、これら第１及び第２のディスク基板１２、１３の中心穴Ｓ11、Ｓ12を一致させて貼り合せる方法を採っていたために、第１及び第２のデータエリア１６、１７の中心Ｄ11、Ｄ12の偏心量が最大で、Ｅ11＋Ｅ12＝０．０７０ｍｍとなり、データ再生上の最大許容値とされている０．０５０ｍｍの規格寸法を越えるものも発生していると言う実情を呈していた。
【０００９】
本発明は、上記の問題を解決するためになされたものであって、第１及び第２のディスク基板の中心穴の中心に対する第１及び第２のデータエリアの中心の偏心量の許容値を０±０．０３５ｍｍに規定した場合に、相互に貼り合された第１及び第２のディスク基板の第１及び第２のデータエリアの中心の最大偏心量を規格寸法の最大許容値である０．０５０ｍｍ以下に確実に抑えることができる両面光ディスクとその製法を提供することを目的としている。
【００１０】
【課題を解決するための手段】
上記の目的を達成するための本発明の両面光ディスクとその製法は、センターコアを持たない中心穴を有する第１及び第２のディスク基板を用い、第１のディスク基板上に第２のディスク基板を貼り合せて、第１のディスク基板を通して照射される光によって第１及び第２のディスク基板の第１及び第２のデータエリアのデータを選択的に再生するものにおいて、第２のディスク基板の第２のデータエリアの中心を割り出して、その第２のディスク基板のデータエリアの中心を第１のディスク基板の中心穴の中心に一致させた状態で、第１のディスク基板上に第２のディスク基板を貼り合せたものである。
【００１１】
上記のように構成された本発明の両面光ディスクとその製法によれば、両面光ディスクの第２のディスク基板の第２のデータエリアの中心が第１のディスク基板の中心穴の中心に一致されているので、第１及び第２のディスク基板の中心穴の中心に対する第１及び第２のデータエリアの中心の偏心量の許容値を０±０．０３５ｍｍに規定した場合に、相互に貼り合された第１及び第２のディスク基板の第１及び第２のデータエリアの中心の最大偏心量を０．０３５ｍｍ以下に抑えることができる。
【００１２】
【発明の実施の形態】
以下、本発明を適用したＤＶＤ等の両面光ディスクとその製法の実施の形態について図１〜図３を参照して説明する。なお、図４と同一構造部には同一の符号を付して説明の重複を省く。
【００１３】
まず、図１に示すように、本発明のＤＶＤ等の両面光ディスク１１は、第２のディスク基板１３の第２のデータエリア１７の中心Ｄ12を第１のディスク基板１２の中心穴１２ａの中心Ｓ11に正確に一致させた状態で、第１のディスク基板１２上に第２のディスク基板１３をＵＶ接着剤等の接着剤１８や熱融着等にて貼り合せたものである。
【００１４】
従って、本発明の両面光ディスク１１では、第１及び第２のディスク基板１２、１３の中心穴１２ａ、１３ａの中心Ｓ11、Ｓ12に対する第１及び第２のデータエリア１６、１７の中心Ｄ11、Ｄ12の偏心量の許容値を０±０．３５ｍｍに規定した場合に、相互に貼り合された第１及び第２のディスク基板１２、１３の第１及び第２のデータエリア１６、１７の中心Ｄ11、Ｄ12の最大偏心量を０．０３５ｍｍ以下に抑えることができて、規格寸法の最大許容値である０．０５０ｍｍを大幅に下回ることになる。
【００１５】
つまり、図１に示すように、この両面光ディスク１１は、ディスクドライブ内におけるディスクテーブル３１上の円錐台形状のセンターリング用ハブ３２のテーパー面３２ａの外周に下側の第１のディスク基板１２の中心穴１２ａを嵌合することによって、その中心穴１２ａの中心Ｓ11をディスクテーブル３１の中心Ｓ13に位置決めするようにして、その両面光ディスク１１をディスクテーブル３１上に水平に装着するので、このディスク装着状態では、ディスクテーブル３１の中心Ｓ13に対する下側の第１のディスク基板１２における第１のデータエリア１６の中心Ｄ11の最大偏心量Ｅ11は０．０３５ｍｍとなる。しかし、上側の第２のディスク基板１３における第２のデータエリア１７の中心Ｄ12は、第１のディスク基板１２の中心穴１２ａの中心Ｓ11に予め正確に一致されているので、ディスクテーブル３１の中心Ｓ13に対する第２のディスク基板１３における第２のデータエリア１７の中心Ｄ12の偏心量は０となる。従って、第１及び第２のデータエリア１６、１７の中心Ｄ11、Ｄ12の最大偏心量が０．０３５ｍｍ以下となる。
【００１６】
そして、ディスクテーブル３１によって両面光ディスク１１を回転駆動しながら、対物レンズ３３から上方に照射されるレーザー光３４を下側の第１のディスク基板１２を通して第１及び第２のデータエリア１６、１７に選択的に垂直に照射及びフォーカスしながら、その対物レンズ３４を両面光ディスク１１の中心からの放射線に沿って水平に走査して、これら第１及び第２のデータエリア１６、１７のデータを選択的に再生する際、第１のデータエリア１６については、その偏心量Ｅ11がデータ再生上の最大許容値とされている０．０５０ｍｍ以下であることから、従来通りに正確に再生することができる上に、第２のデータエリア１７については、その偏心量Ｅ12が０となっていることから、極めて高精度に再生することができ、ＤＶＤ等の大容量、高密度の両面光ディスク１１として最適なものとなる。
【００１７】
次に、図２及び図３によって、本発明の両面光ディスク１１の製造装置について説明する。即ち、この製造装置には、治具４１と、第１及び第２のディスク基板１２、１３の外周の少なくとも３点を挟持する第１及び第２のディスクチャック４３、４４と、第２のディスク基板１３の第２のデータエリア１７の中心を割り出すためのＣＣＤカメラ等の３つのビデオカメラ４５と、これら３つのビデオカメラ４５から出力された画像信号を処理する画像処理装置４６と、ＵＶ接着剤等の接着剤１８を塗布する接着剤塗布装置４７又は熱融着装置（図示せず）等が備えられている。なお、治具４１上の中心には円錐台形状のテーパー面４２ａを有するセンターリング用ハブ４２が形成されていて、治具４１、第１及び第２のディスクチャック４３、４４、３つのビデオカメラ４５等は直角な水平２軸方向であるＸ、Ｙ方向に移動可能であると共に、垂直方向であるＺ方向にも移動可能に構成されている。
【００１８】
次に、両面光ディスク１１の製造に際しては、まず、第１のディスクチャック４３によって第１のディスク基板１２の外周の少なくとも３点を挟持して、その第１のディスク基板１２の中心穴１２ａを治具４１のセンターリング用ハブ４２のテーパー面４２ａの外周に水平に嵌合して、その中心穴１２ａの中心Ｓ11を治具４１の中心Ｓ14に位置決めする。
【００１９】
次に、第２のディスクチャック４３によって第２のディスク基板１３の外周の少なくとも３点を挟持して、その第２のディスク基板１３を第１のディスク基板１２の上部位置にて、座標上の原位置に位置決めした後、３つのビデオカメラ４５によって第２のディスク基板１３における第２のデータエリア１７の外周又は内周の３等分位置を撮影し、これら３つのビデオカメラ４５から出力された画像信号を画像処理装置４６に入力して画像処理することによって、その第２のデータエリア１７の中心Ｄ12を座標上で極めて簡単、かつ、正確に割り出すことができる。
【００２０】
次に、第１のディスク基板１２が水平に嵌合されている治具４１をＸ、Ｙ方向に水平に移動調整して、その治具４１の中心Ｓ14を第２のデータエリア１７の中心Ｄ12に極めて簡単、かつ、正確に一致させた後、接着剤塗布装置４７によって第１のディスク基板１２上に塗布する。なお、この際、接着剤塗布装置４７によってＵＶ接着剤等の接着剤１８を第１のディスク基板１２上に適量滴下した後、治具４１によって第１のディスク基板１２を高速で回転駆動して、その時の遠心力によって接着剤１８を第１のディスク基板１２上に均一に塗布する。
【００２１】
そして、この接着剤塗布後に、第１及び第２のディスク基板１２、１３をこれらの中心Ｄ12及びＤ14に沿ってＹ方向から相対的に接合するようにして、これら第１のディスク基板１２上に第２のディスク基板１３を接着剤１８によって貼り合せる。なお、接着剤１８がＵＶ接着剤であれば、第１のディスク基板１２上に第２のディスク基板１３を接合した後に、紫外線照射によって接着剤１８を硬化することによって、これら第１及び第２のディスク基板１２、１３を相互に貼り合せる。また、接着剤塗布装置４７に換えて、熱融着装置を用いた場合には、加熱、加圧手段等によって第１及び第２のディスク基板１２、１３を上下から相互に加熱、加圧して熱融着することになる。
【００２２】
以上、本発明の実施の形態について説明したが、本発明は上記した実施の形態に限定されることなく、本発明の技術的思想に基づいて各種の変更が可能である。
【００２３】
【発明の効果】
以上のように構成された本発明の両面光ディスクとその製法は、次のような効果を奏する。
【００２４】
請求項１及び２の両面光ディスクとその製法は、第１及び第２のディスク基板の中心穴の中心に対する第１及び第２のデータエリアの中心の偏心量の許容値を０±０．０３５ｍｍに規定した場合に、相互に貼り合された第１及び第２のディスク基板の第１及び第２のデータエリアの中心の最大偏心量を０．０３５ｍｍ以下に抑えることができるようにしたので、その最大偏心量０．０３５ｍｍは、データ再生上の最大許容値とされている０．０５０ｍｍの規格寸法を大幅に下回ることになり、第１及び第２のデータエリアのデータを常に極めて高精度に再生することができて、ＤＶＤ等の大容量、高密度の両面光ディスクに最適なものを得ることができる。
【００２５】
請求項３は、第２のディスク基板の第２のデータエリアを撮影するビデオカメラと、そのビデオカメラから出力された画像信号を処理する画像処理装置とを用いて、そのデータエリアの中心を割り出すようにしたので、その第２のデータエリアの中心を常に極めて簡単、かつ、正確に割り出すことができて、両面光ディスクの製造を容易に行える。
【００２６】
請求項４は、第１のディスク基板の中心穴が嵌合されるセンターリング用ハブを備え、その中心穴の中心を第２のディスク基板の第２のデータエリアの中心に位置出しすべく直角２軸方向に移動可能な治具を備えたので、第２のデータエリアの中心に対する第１のディスク基板の中心の位置出し作業を極めて簡単、かつ、正確に行えて、両面光ディスクの製造を容易に行える。
【００２７】
請求項５及び６は、第１及び第２のディスク基板を接着剤や熱融着にて貼り合わせるので、両面光ディスクの製造を容易に行える。
【図面の簡単な説明】
【図１】本発明を適用したＤＶＤ等の両面光ディスクの実施の形態を説明する一部切欠き断面側面図である。
【図２】本発明を適用した両面光ディスクの製造装置の実施の形態を説明する一部切欠き断面側面図である。
【図３】同上の製造装置の概要を説明する斜視図である。
【図４】従来のＤＶＤ等の両面光ディスクを説明する一部切欠き断面側面図である。
【図５】従来のＭＯ等の両面光ディスクを説明する一部切欠き断面側面図である。
【符号の説明】
１１は両面光ディスク、１２は第１のディスク基板、１２ａは第１のディスク基板の中心穴、１３は第２のディスク基板、１３ａは第２のディスク基板の中心穴、１６は第１のデータエリア、１７は第２のデータエリア、１８は接着剤、４１は治具、４２はセンターリング用ハブ、４３は第１のディスクチャック、４４は第２のディスクチャック、４５はビデオカメラ、４６は画像処理装置、４７は接着剤塗布装置、Ｓ11、Ｓ12は第１及び第２のディスク基板の中心穴の中心、Ｄ11、Ｄ12は第１及び第２のデータエリアの中心、Ｓ13はディスクテーブルの中心、Ｓ14は治具の中心である。
【図１】
0003669079.tif 000002
【図２】
0003669079.tif 000003
【図３】
0003669079.tif 000004
【図４】
0003669079.tif 000005
【図５】
0003669079.tif 000006